(57)【特許請求の範囲】
【請求項１】
天井より吊した天井フレームと、当該天井フレームの端部側に設けられた縁部材とを有し、当該縁部材および当該天井フレームに厚みの異なる複数の天井パネルを取付可能にした天井パネルの取付構造において、
前記縁部材に天井パネルを押圧する天井パネル取付具を取り付け、この天井パネル取付具が、弾性変形部と、この弾性変形部の一片に形成した第一押圧部と、この弾性変形部の他片に形成した第二押圧部とを有し、第一押圧部及び第二押圧部の長さ寸法が異なるとともに、これら第一押圧部及び第二押圧部の一方を前記天井パネルの縁部側に設けた縁部材に係止させた状態で、他方により天井パネルの端部を側方に押圧させるものであり、天井パネル取付具の前記第一押圧部により天井パネルの端部を側方に押圧させている状態と第二押圧部により天井パネルの端部を側方に押圧させている状態とが互いに上下反転していて、当該天井パネル取付具を反転させることによって厚みの異なる天井パネルを押圧させることを特徴とする天井パネルの取付構造。
【請求項２】
前記天井パネル取付具が、前記縁部材に少なくともその一端側を天井パネルの挿入方向へ移動可能に取り付けられ、天井パネルの取り付け動作に伴って前記一端側を移動させて天井パネルを押圧する天井パネル取付具であることを特徴とする請求項１記載の天井パネルの取付構造。
【請求項３】
天井フレームに取り付けた天井パネルと、当該天井パネルの端部側に設けた縁部材とに跨って設けられ、当該天井パネルを押圧する天井パネル取付具において、
前記縁部材にその一端側を天井パネルの挿入方向へ移動可能に取り付けられる取付部と、弾性変形部と、この弾性変形部の一片に形成した第一押圧部と、この弾性変形部の他片に形成した第二押圧部とを有し、第一押圧部及び第二押圧部の長さ寸法が異なるとともに、これら第一押圧部及び第二押圧部がそれぞれ異なる天井パネルの厚みに対応し、これら第一押圧部及び第二押圧部の一方を前記天井パネルの縁部側に設けた縁部材に係止させた状態で、他方により天井パネルの端部を側方に押圧可能であり、前記第一押圧部により天井パネルの端部を側方に押圧させている状態と前記第二押圧部により天井パネルの端部を側方に押圧させている状態とが互いに上下反転していて、当該押圧部をそれぞれ反転させて使用可能に設けたことを特徴とする天井パネル取付具。
【請求項４】
前記天井パネル取付具が、線材からなることを特徴とする請求項３記載の天井パネル取付具。
【発明の詳細な説明】
【０００１】
【発明の属する技術分野】
本発明は、天井パネルを取り付ける際に使用されるもので、より詳しくは、異なる厚みの天井パネルであっても容易に天井パネルの浮きを防止できるようにしたものである。
【０００２】
【従来の技術】
従来、天井パネルを取り付ける際には、例えば、壁面の上端部に設けた縁部材及び、天井から吊り下げた天井フレームに天井パネルの周縁を支持させて天井パネルを取り付けるようにしている。具体的には、メインバーとクロスバーによって格子状の天井フレームを設け、この天井フレームをハンガーによって天井から吊り下げ、そして、天井パネルをメインバーやクロスバーおよび壁面の上端部に沿って取り付けた側面視略Ｌ字形状の縁部材に支持させて取り付けるようにしている。
【０００３】
そして、この天井パネルを天井フレームに支持させた後に、この天井パネルの上方への浮きを防止するため、天井パネルの上面及び縁部材の上端との間に弾性変形する天井パネル取付具を挟み込み、その天井パネルを下方に押さえている。
【０００４】
【発明が解決しようとする課題】
ところが、天井パネルには、厚みの薄いスチール製パネルや、厚みの厚い岩綿製パネルなど厚みの異なる天井パネルがある。このような厚みの異なる天井パネルを天井フレーム等に取り付ける際には、前記天井パネル取付具を入り込ませる空間、つまり天井パネルの上面と縁部材の上端との隙間が天井パネルの種類によって異なり、引いては、天井パネルの種類に対応して、それぞれの隙間に対応した天井パネル取付具を設けておかなければならないという不具合があった。
【０００５】
そこで、本発明は上記課題に着目してなされたものであり、厚みの異なる天井パネルにも対応できる天井パネル取付具等を提供することを目的とする。
【０００６】
【課題を解決するための手段】
すなわち本発明では、上記課題を解決するために、天井より吊した天井フレームと、当該天井フレームの端部側に設けられた縁部材とを有し、当該縁部材および当該天井フレームに厚みの異なる複数の天井パネルを取付可能にした天井パネルの取付構造において、前記縁部材に天井パネルを押圧する天井パネル取付具を取り付け、この天井パネル取付具が、弾性変形部と、この弾性変形部の一片に形成した第一押圧部と、この弾性変形部の他片に形成した第二押圧部とを有し、第一押圧部及び第二押圧部の長さ寸法が異なるとともに、これら第一押圧部及び第二押圧部の一方を前記天井パネルの縁部側に設けた縁部材に係止させた状態で、他方により天井パネルの端部を側方に押圧させるものであり、天井パネル取付具の前記第一押圧部により天井パネルの端部を側方に押圧させている状態と第二押圧部により天井パネルの端部を側方に押圧させている状態とが互いに上下反転していて、当該天井パネル取付具を反転させることによって厚みの異なる天井パネルを押圧させる。これにより、異なる厚みの天井パネル毎に対応した天井パネル取付具を設けておく必要をなくし、天井パネルの変更にも即座に対応できるようにする。
【０００７】
更に、前記天井パネル取付具を、前記縁部材に少なくともその一端側を移動可能に取り付け、天井パネルの取り付け動作に伴って前記一端側を移動させて天井パネルを押圧させることにより、天井パネルを取り付ける前に予め天井パネル取付具を縁部材に設けておき、天井パネルの取付動作を利用して天井パネル取付具により天井パネルを押圧することができるようにする。
【０００８】
加えて、前記天井パネル取付具を線材から構成することにより、簡易に上記効果を有する天井パネル取付具を成形できるようにする。
【０００９】
【発明の実施の形態】
以下、本発明の一実施の形態を、図面を参照して説明する。
【００１０】
図１は、スチール製パネルＳＰを取り付けた状態を示す天井材１の構造を表しており、図２は、図１のスチール製パネルＳＰに変えて岩綿製パネルＡＰを取り付けた状態を示したものである。また、図３は、天井パネルを取り付ける前の図であり、この天井パネルを押圧する天井パネル取付具であるボーダーバネ７を縁部材に設けた状態を示す天井材１の構造を表している。
【００１１】
この天井材１の構造は、メインバー２１とクロスバー２２を格子状に枠組みした天井フレーム２と、この天井フレーム２を天井から吊るすハンガー３と、この天井フレーム２の端部を縁部材４に固定するための連結部材５とを設けている。そして、この天井フレーム２に、厚みの異なるスチール製パネルＳＰや岩綿製パネルＡＰを取り付けられるようにしており、更に、前記縁部材４近傍の天井パネルを後述するボーダーパネル７により押圧して強固に取り付けできるようにしている。以下、このような構造を有する天井材１の各構成について具体的に説明する。
【００１２】
この天井フレーム２は、図３に示すように、長さの異なるメインバー２１とクロスバー２２を格子状に枠組みして構成したものである。この天井フレーム２のうちメインバー２１は、その下方に下向き略コの字形状の開口溝２１１ｃを有するフレーム部２１１と、このフレーム部２１１をハンガー３によって保持するための保持片２１２および保持部２１３とによって構成したものであり、このフレーム部２１１の開口溝２１１ｃを避けるようにスチール製パネルＳＰの鍔部ＳＰ１を接触させ、また、このフレーム部２１１の支持面２１１ａに岩綿製パネルＡＰの段部ＡＰ１を接触させて支持させるようにしたものである。一方、このメインバー２１に直交して設けられるクロスバー２２は、メインバー２１と同じ形状を有するものであり、メインバー２１よりも短く切断して、ブラケット６を用いてメインバー２１の間に取り付けられるものである。そして、このように枠組みされたメインバー２１とクロスバー２２を、それらのフレーム部２１１・２２１の上下端を揃えた状態でハンガー３によって天井から吊り下げている。
【００１３】
このハンガー３は、天井に取り付けられたボルト３１と、このボルトおよび天井フレーム２を連結する吊下部材３２とによって構成しており、ハンガー３によって天井フレーム２を吊り下げる場合、吊下部材３２によって天井フレーム２の保持部２１３を保持する一方、この反対側の屈曲部をボルト３１に貫通させてナット部３３材の回転で上下動させ、天井との距離を調節できるようにしたものである。
このように吊下げられた天井フレーム２は、その端部を金属板などによって構成した連結部材５によって固定されている。この連結部材５は、側面視略Ｌ字状に構成した縁部材４の形状に対応して屈曲する取付部５１と、この取付部５１の起立する部分から前方に折り曲げて構成した連結部５２によって構成されており、この略Ｌ字状に構成した取付部５１の上下端を、縁部材４の端部に設けた折り返し部４１ａに位置させて移動させられるようにしたものである。そして、この連結部材５を適所に移動させた後に、この取付部５１に設けられたネジ孔５１１にビス５１２をねじ込み、このビス５１１の押圧力によって連結部材５を縁部材４に固定できるようにしている。そして、この連結部材５の連結部５２に天井フレーム２の保持片２１２に接触させて天井フレーム２を縁部材４に固定できるようにしている。
【００１４】
一方、この連結部材５を保持している縁部材４は、天井の縁部に設けられる枠材Ｗなどに取り付けられるものであって、側面視略Ｌ字状の形状に構成してその下端の化粧片４１にスチール製パネルＳＰや岩綿製パネルＡＰを載せられるようにしたものである。この化粧片４１は、その上部をメインバー２１およびクロスバー２２の下端部分より若干下方に設けており、具体的には、この天井フレーム２に取り付けられるスチール製パネルＳＰの鍔部ＳＰ１の上下厚み幅分だけ天井フレーム２の下方にその上部を位置させている。これによって、スチール製パネルＳＰを取り付けた場合に、その天井面を水平な状態に保てるようにしている。また、この縁部材４には、それぞれの連結部材５の間にスチール製パネルＳＰや岩綿製パネルＡＰを押圧するボーダーバネ７を取り付けられるようにしている。
【００１５】
このボーダーバネ７は、図１、２に示すように、その弾性力によってスチール製パネルＳＰと岩綿製パネルＡＰを下方または側方に押さえ付けるようにしたバネ状のものであり、その取り付け状態を上下に反転させることによって、スチール製パネルＳＰと岩綿製パネルＡＰをそれぞれ適切に押圧できるようにしたものである。すなわち、スチール製パネルＳＰを下方に押圧する場合は、その鍔部ＳＰ１の肉厚に対応して縁部材４の化粧片４１とボーダーバネ７の第一押圧部７２との間を狭くして取り付け、一方、岩綿製パネルＡＰを押圧する場合は、その端部の肉厚に対応して縁部材４の化粧片４１とボーダーバネ７の第二押圧部７３との間を大きくして取り付けるようにしている。そして、このボーダーバネ７を取り付ける際、個々の天井パネルの取り付けとボーダーバネ７の取り付けを同時に行なえるように、あらかじめ縁部材４の折り返し部にボーダーバネ７のそれぞれの端部を引っ掛けておき、スチール製パネルＳＰや岩綿製パネルＡＰを取り付ける際、そのスチール製パネルＳＰや岩綿製パネルＡＰの端部でボーダーバネ７を奥方、すなわち天井パネルの挿入方向に押し込んで取り付けられるようにしている。
【００１６】
詳述すると、図６、７に示すように、このボーダーバネ７は、線材を屈曲して側面視逆くの字状の弾性変形部７１を形成したものであり、更にこの弾性変形部７１の一片を略直角方向に屈曲させて第一押圧部７２を形成すると共に、その反対他片を略直角方向に屈曲させて第二押圧部７３を形成している。この第一押圧部７２は、スチール製パネルＳＰの厚み寸法よりも若干長い押圧片７２ａを有し、スチール製パネルＳＰなどの厚みの薄い天井パネルを押さえ込むことができるようにしている。また、前記第二押圧部７３は、第一押圧部７２の押圧片７２ａよりも長い押圧片７３ａを有し、岩綿製パネルＡＰのような厚めの天井パネルを押圧することができるようにしている。更に、前記第一押圧部７２および第二押圧部７３は、前記縁部材４の有する折り返し部４１ａにこのボーダーバネ７を係止する係止部の役目も果たしている。
【００１７】
次に、前記天井フレーム２に取り付けられる天井パネルの構造、および、その取付方法について説明する。
【００１８】
スチール製パネルＳＰは、スチール板を折り曲げて構成したものであり、平面状に構成した板材の四辺を折り曲げて鍔部ＳＰ１と起立部ＳＰ２を構成し、この起立部ＳＰ２の適所にフック部ＳＰ２１を設けてフレーム部２１１・２２１に弾性的に取り付けられるようにしたものである。一方、図２に示す岩綿製パネルＡＰは、吸音性を有する岩綿部材などによって構成したものであり、この岩綿部材の側辺に段部ＡＰ１を設け、この段部ＡＰ１をフレーム部２１１・２２１の支持面２１１ａ・２２１ａに支持させた状態で岩綿製パネルＡＰの下端部分を天井フレーム２のフレーム部２１１・２２１の下面２１１ｂ・２２１ｂに一致させるようにしたものである。
そして、このような天井パネルを取り付ける場合、まず図３に示すように、メインバー２１とクロスバー２２を格子状に枠組みして天井フレーム２を構成し、この天井フレーム２をハンガー３によって天井から吊下げる。そして、この状態でハンガー３のナット部材３３などを用いて天井フレーム２の高さを調節し、天井フレーム２の下端をスチール製パネルＳＰの鍔部ＳＰ１の厚み幅分だけ化粧片４１の上方に位置させる。また、この際、他のメインバー２１やクロスバー２２の取り付け角度なども調整する。そして、前記連結部材５を縁部材４の折り返し部４１ａに嵌め込み、この連結部材５を適所に移動させてクロスバー２２などの保持片２２２に接触させて、この取付部５１に設けられたネジ孔５１１にビス５１２をねじ込み、このビス５１１の押圧力によって連結部材５を縁部材４に固定する。そしてこの連結部材５の連結部５２に天井フレーム２の保持片２１２に接触させて取り付けることで、その天井フレーム２を縁部材４に固定する。
次に、この天井フレーム２にスチール製パネルＳＰを取り付ける場合には、図３に示す様に、まず天井フレーム２を押圧するボーダーバネ７の第一押圧部７２を下に向け、その両端部７２・７３を縁部材４の折り返し部４１ａに引っかけた状態として、縁部材４の長手方向に沿って間欠的に取り付けておく。そして、天井フレーム２の端部を除く内方の開口部分にスチール製パネルＳＰを下側から嵌め込み、そして、最後に天井フレーム２の端部に位置する開口部分の形状に合わせてスチール製パネルＳＰを切断してそのスチール製パネルＳＰを嵌め込む。
詳しくは、内方の開口部分にスチール製パネルＳＰを取り付ける場合には、天井フレーム２の下方からスチール製パネルＳＰを押し上げ、フック部ＳＰ２１の弾性変形を利用してこのフック部ＳＰ２１と鍔部ＳＰ１によってフレーム部２１１・２２１を挟み込ませる。一方、端部の開口部分にスチール製パネルＳＰを取り付ける場合は、図４に示すように、まず、スチール製パネルＳＰの端部をボーダーバネ７側に押し込み、その押し込み動作によって第一押圧部７２を縁部材４に沿って移動させる。そして、このボーダーバネ７の弾性変形部７１を圧縮変形させてスチールパネルＳＰの上面に取り付け、このスチール製パネルＳＰの上面および端部を押圧させる。その後、天井フレーム２側の各辺を上方に押し上げ、このボーダーバネ７による側方への押圧力およびフック部ＳＰ２１の弾性変形などによってこのフック部ＳＰ２１と鍔部ＳＰ１でフレーム部２１１・２２１を挟み込ませ、このようにスチール製パネルＳＰを取り付けることによって、鍔部ＳＰ１をフレーム部２１１・２２１の下端部２１１ｂ・２２１ｂに接触させるとともに化粧片４１の上部にスチール製パネルＳＰの天井面を接触させて隙間をなくす。
一方、このような天井材１に岩綿製パネルＡＰを取り付ける場合、図５に示す様に、まず、天井フレーム２を押圧するボーダーバネ７を第二押圧部７３を下に向け、その両端部７２・７３を縁部材４の折り返し部４１ａに引っかけた状態として、縁部材４の長手方向に沿って間欠的に取り付けておく。そして、天井フレーム２の端部を除く内方の開口部分に岩綿製パネルＡＰを嵌め込み、最後に天井フレーム２の端部に位置する開口部分に合わせて岩綿製パネルＡＰを切断してその岩綿製パネルＡＰを嵌め込む。詳述すると、内方の開口部分に岩綿製パネルＡＰを取り付ける場合には、天井フレーム２の上方から岩綿製パネルＡＰを嵌め込み、その側面部に設けられた段部ＡＰ１をフレーム部２１１・２２１の支持面２１１ａ・２２１ａに支持させて取り付けるようにする。
一方、端部の開口部分に岩綿製パネルＡＰを取り付ける場合は、この岩綿製パネルＡＰを天井フレーム２の上方から挿入し、縁部材４側に位置する岩綿製パネルＡＰの端部をボーダーバネ７側に押し込み、その押し込み動作によって第二押圧部７３を縁部材４に沿って移動させる。そして、弾性変形部７１を圧縮変形させてこのボーダーバネ７を岩綿製パネルＡＰの上面に取り付け、第二押圧部７３により岩綿製パネルＡＰの端部を押圧させる。その後、天井フレーム２側の各辺の段部ＡＰ１をフレーム部２１１の支持面２１１ａ・２２１ａに載せる。ここで、天井フレーム２には、予めバネ部材８が取りつけられており、このバネ部材８によって岩綿製パネルＡＰは上方から弾性的に押圧される。このように、縁部材４側の辺を取り付けた後、他の三辺に設けられた段部ＡＰ１を天井フレーム２の上方からフレーム部２１１・２２１の支持面２１１ａ・２２１ａに支持させて取り付けるようにする。
【００１９】
以上のような構成により、天井パネルを押圧するボーダーバネ７に、第一押圧部７２および第二押圧部７３を上下反転位置に設けることで異なる厚みの天井パネルに対応させた天井パネル取付具を設けておく必要がなくなり、天井パネルの変更にも即座に対応できる。
【００２０】
更に、前記ボーダーバネ７の端部である第一押圧部７２または第二押圧部７３を、前記縁部材４に移動可能に取り付け、天井パネルの取り付け動作に伴ってその一端側を移動させて天井パネルを押圧させることにより、天井パネルを取り付ける前に予めボーダーバネを縁部材４に取り付けでき、大きなボーダーバネ７であっても容易に取り付けることができる。また、天井パネル取付後に天井パネルの下方から手を回し込んでボーダーバネ７を取り付けるような取り付け難さを解消し、天井パネルの取付動作を利用してボーダーバネ７により簡単に天井パネルを押圧することができる。
【００２１】
加えて、前記ボーダーバネ７を線材から構成することにより、簡易な構成において上述の効果を得ることができる。
【００２２】
なお、本発明における構成は、以上説明したものに限定されないのは勿論である。例えば、本実施の形態においては、ボーダーバネ７を線材部材によって構成しているが、薄い板バネ等としてもよい。その他の構成も本発明の趣旨を逸脱しない範囲で種々変形が可能である。
【００２３】
【発明の効果】
本発明は、以上説明したような構成で実施され以下に記載されるような効果を奏する。
【００２４】
すなわち、本発明では、天井から吊した天井フレームに、厚みの異なる複数の天井パネルを取付可能にした天井パネルの取付構造において、前記天井フレームに取り付けた天井パネルを押圧する天井パネル取付具を設け、当該天井パネル取付具を反転させることによって厚みの異なる天井パネルを押圧させることにより、異なる厚みの天井パネル毎に対応した天井パネル取付具を設けておく手間を不要になり、天井パネルの変更にも即座に対応できるようになる。
更に、前記天井パネル取付具を、前記縁部材に少なくともその一端側を天井パネルの挿入方向に移動可能に取り付け、天井パネルの取り付け動作に伴って前記一端側を移動させて天井パネルを押圧させることにより、天井パネルを取り付ける前に予め天井パネル取付具を縁部材に取り付けでき、天井パネルの取付動作を利用して天井パネル取付具により天井パネルを押圧することができる。
【００２５】
加えて、前記天井パネル取付具を線材から構成することにより、簡易にこの天井パネル取付具を成形できるようになる。
【図面の簡単な説明】
【図１】本発明の一実施の形態を示すスチール製パネル取付図。
【図２】同実施の形態における岩綿製パネル取付図。
【図３】同実施の形態におけるスチール製パネル取付前のボーダーバネ取付図。
【図４】同実施の形態におけるスチール製パネル取付過程図。
【図５】同実施の形態における岩綿製パネル取付前のボーダーバネ取付図。
【図６】同実施の形態における岩綿製パネル取付過程図。
【図７】同実施の形態におけるボーダーバネの斜視図。
【図８】同実施の形態におけるボーダーバネの側面図。
【図９】同実施の形態におけるボーダーバネの平面図。
【図１０】同実施の形態におけるボーダーバネの正面図。
【符号の説明】
２・・・天井フレーム
４・・・縁部材
７・・・天井パネル取付具（ボーダーバネ）
７２・・・押圧部（第一押圧部）
７２ａ・・・押圧片
７３・・・押圧部（第二押圧部）
７３ａ・・・押圧片
ＳＰ・・・天井パネル（スチール製パネル）
ＡＰ・・・天井パネル（岩綿製パネル）
【図１】
0004761665.tif 000002
【図２】
0004761665.tif 000003
【図３】
0004761665.tif 000004
【図４】
0004761665.tif 000005
【図５】
0004761665.tif 000006
【図６】
0004761665.tif 000007
【図７】
0004761665.tif 000008
【図８】
0004761665.tif 000009
【図９】
0004761665.tif 000010
【図１０】
0004761665.tif 000011